(57)【要約】【課題】原稿の読み取り前にシェーディング補正に使用する黒基準値と白基準値を計測するために、原稿の読み取りの開始が遅れる。【解決手段】本発明の画像読取装置は、変化し難い黒基準値を予め記憶しておき、原稿の読み取りの際には、白基準値のみを計測する。原稿を読み取って生成された画像データのシェーディング補正には、予め記憶された黒基準値と計測した白基準値を用いる。【選択図】図１
2005094135.tif 000002
【特許請求の範囲】
【請求項１】
原稿を読み取って生成された画像データに白基準値と黒基準値を用いてシェーディング補正を施す画像読取装置において、
上記黒基準値を記憶する黒基準値記憶手段と、
予め定められたタイミングで上記白基準値のみを計測する白基準値計測手段と、
上記記憶された黒基準値と上記計測された白基準値を用いて上記画像データにシェーディング補正を施すシェーディング補正手段を備えたことを特徴とする画像読取装置。
【発明の詳細な説明】
【技術分野】
【０００１】
本発明は、スキャナ、複写機、複合機等の原稿を読み取る機能を備えた画像読取装置に関する。
【背景技術】
【０００２】
画像読取装置は、原稿を読み取って生成した画像データに対してシェーディング補正を施す。シェーディング補正に用いられる白基準値と黒基準値は、画像読取装置の電源投入時や原稿読み取りの直前に計測される。
【０００３】
画像読取装置の電源投入や原稿読み取りの指示があると、画像読取装置は、原稿読み取り用の露光ランプを消灯した状態でプラテンの下方に設けられた受光手段が受光する光の量を計測する。上記画像読取装置は、計測した光量に基づいて、黒基準点を計測する。
【０００４】
黒基準値を計測すると、上記画像読取装置は、上記露光ランプを点灯して上記ランプでプラテンカバーの下面に配置された白基準板を照射し、上記受光手段が受光する白基準板で反射した光の量を計測する。画像読取装置は、計測された光量に基づいて白基準値を計測する。白基準値を計測すると、画像読取装置は、プラテン上にある原稿の読み取りを行う。画像読取装置は、原稿を読み取って画像データを生成し、生成した画像データに対して計測した黒基準値と白基準値を用いてシェーディング補正を施す。
【０００５】
白基準値は、露光ランプの輝度やゴミの付着等の白基準板の状態に影響され易く、正確な白基準値が得ることができない場合がある。特開２００２−３１４８０５号公報には、正確な白基準値を得ることのできる画像読取装置が記載されている。上記公報記載の画像読取装置は、白基準板の複数箇所を照射して、各箇所の照射によって得られた値を平均して白基準値を計測する。
【特許文献１】特開２００２−３１４８０５号公報
【発明の開示】
【発明が解決しようとする課題】
【０００６】
上記のように、画像読取装置の電源投入時や、原稿を読み取る直前に白基準値と黒基準値を計測すると、その分画像読取装置が原稿の読み取りを開始するのが遅れる。
【０００７】
そこで本発明は、原稿の読み取りを素早く開始することができる画像読取装置を提供することを目的とする。
【課題を解決するための手段】
【０００８】
本発明の画像読取装置は、電源投入時や原稿を読み取る時等の予め定められたタイミングで、白基準値のみを計測する。画像読取装置は、この計測された白基準値をシェーディング補正に用いる。
【０００９】
シェーディング補正に用いる黒基準値は、白基準板の状態や露光ランプの輝度の影響を受け難く変化し難い。そのため画像読取装置は、黒基準値記憶手段に予め記憶された黒基準値をシェーディング補正に用いる。
【発明の効果】
【００１０】
黒基準値の計測を行わない分だけ、原稿の読み取りの開始が早くなる。
【発明を実施するための最良の形態】
【００１１】
図１に示すように、本発明の画像読取装置１００は、操作パネル１０１を備える。ユーザは、この操作パネル１０１を操作することで画像読取装置１００を操作することができる。図２に示すように本実施の形態の画像読取装置１００は、読み取られる原稿Ｍを載置するプラテン２０１や原稿台２０２を備える。
【００１２】
ユーザは、画像読取装置１００に原稿Ｍを読み取らせる場合、上記プラテン２０１か原稿台２０２に原稿Ｍを載置して、操作パネル１０１に表示される印刷キー１０２を押下する。印刷キー１０２が押下されると、上記露光ランプ制御手段１０３が原稿の読取動作を開始する。ここでは、プラテン２０１に原稿Ｍが載置されて印刷キー１０２が押下された場合について説明する。
【００１３】
上記露光ランプ制御手段１０３は、図２に示す露光ランプ２０３、第１のミラー２０４、第２のミラー２０５、第３のミラー２０６、レンズ２０７、ＣＣＤ２０８等を原稿の読み取りに用いる。上記露光ランプ２０３、第１のミラー２０４、第２のミラー２０５、第３のミラー２０６は連動して副走査方向に移動可能に設けられ、レンズ２０７、ＣＣＤ２０８は固定されて配置されている。上記露光ランプ２０３は、印刷キー１０２が押下されるまではホームポジションＨＰ、またはプラテンカバー２１０の下面に配置された白基準板２０９を照射できる位置に位置している。
【００１４】
上記のように印刷キー１０１が押下されると、上記露光ランプ制御手段１０３は、露光ランプ２０３を点灯させる。露光ランプがホームポジションＨＰに位置している場合は、上記露光ランプ制御手段１０３は、露光ランプ２０３を点灯させると共に、白基準板２０９を照射することができる位置に上記露光ランプ２０３を移動させる（図３、Ｓ３０１）。白基準板２０９を反射した光は、上記第１のミラー２０４、第２のミラー２０５、第３のミラー２０６、レンズ２０７を介してＣＣＤ２０８に入射する。上記露光ランプ制御手段１０３は、露光ランプ２０３の輝度が安定し、且つ露光ランプ２０３が白基準板２０９を照射できる位置に到達すると、白基準値計測手段１０４に白基準値の測定を指示する。
【００１５】
白基準値の測定が指示されると、上記白基準値計測手段１０４は、ＣＣＤ２０８から出力される電圧値に基づいて白基準値を測定し、シェーディング補正手段１０６に入力する（図３、Ｓ３０２）。白基準値が入力されると、上記シェーディング補正手段１０６は、黒基準値記憶手段１０７に記憶されている黒基準値を取得する。
【００１６】
上記露光ランプ制御手段１０３は、白基準値の測定を指示してから所定時間経過すると、上記露光ランプ２０３を点灯させたまま露光ランプ２０３を副走査方向に移動させて、読取手段１０５に読取処理を指示する。露光ランプ２０３を副走査方向に移動させることで、露光ランプ２０３はプラテン２０１に載置された原稿Ｍ全体を照射する。原稿Ｍを照射した光は、白基準板２０９を照射した光と同じようにしてＣＣＤ２０８に入射する。
【００１７】
読取処理が指示されると、上記読取手段１０５は、ＣＣＤ２０８から出力される電圧値を上記シェーディング補正手段１０６に入力する（図３、Ｓ３０３）。上記読取手段１０５から電圧値が入力されると、上記シェーディング補正手段１０６は、入力された電圧値に白基準値と黒基準値を用いてシェーディング補正を施す（図３、Ｓ３０４）。
【００１８】
以上のように、上記黒基準値記憶手段１０７に記憶された黒基準値をシェーディング補正に用いることで、原稿読み取りの前に黒基準値の測定を行わなくて済むために、黒基準値の測定にかかる時間だけ原稿の読み取りにかかる時間が短縮される。
【００１９】
上記ではプラテン２０１に原稿Ｍが載置された場合のシェーディング補正について説明しているが、以下で原稿Ｍが原稿台２０２に載置されて印刷キー１０２が押下された場合のシェーディング補正について説明する。原稿台２０２には、原稿台２０２に原稿が載置されているかどうかを検知するセンサが設けられている。このセンサが原稿Ｍの載置を検知している時に、印刷キー１０２が押下されると、上記露光ランプ制御手段１０３は、露光ランプ２０３を白基準板２０９を照射できる位置に移動させ、露光ランプ２０３の輝度が安定すると、上記のように白基準値の測定を上記白基準値計測手段１０４に指示し、白基準値を測定する。上記露光ランプ制御手段１０３は、白基準値の測定を白基準番２０９の範囲で行いつつ、露光ランプ２０３を点灯させたまま露光ランプ２０３を原稿台２０２から搬送されてくる原稿Ｍを読み取る読み取り位置に移動させる。露光ランプ２０３を移動させると、上記露光ランプ制御手段１０３は、上記読取手段１０５に読取処理を指示する。上記露光ランプ制御手段１０３は、全部の原稿Ｍが読み取り位置が通過するまで、露光ランプ２０３を上記読み取り位置にて点灯させる。上記白基準値計測手段１０４、上記読取手段１０５、シェーディング補正手段１０７は、プラテン２０１に原稿Ｍが載置されたときと同じように動作する。
【００２０】
上記黒基準値記憶手段１０３に記憶される黒基準値は、所定のタイミングで更新されてもよいし、全く更新されなくてもよい。黒基準値の更新のための黒基準値の測定するタイミングはいつでもよい。但し、原稿の読み取り動作の妨げとならないように、例えば、白基準値の測定が行われるタイミングとして予め指定されたタイミング以外の時に黒基準値を測定するのが好ましい。黒基準値の測定方法は、特に限定されるものでない。
【００２１】
また上記では白基準値の測定は、印刷キー１０２が押下された後に行われているが、測定のタイミングは印刷キー１０２が押下された後に限られない。例えば、画像読取装置１００の電源投入時であってもよい。白基準値の測定を電源投入時に行う場合、印刷キーが押下されると直ぐに原稿Ｍの読み取りを行うことができるので、原稿の読み取りにかかる時間をより短かくすることができる。
【図面の簡単な説明】
【００２２】
【図１】本発明の画像読取装置のブロック図である。
【図２】本発明の画像読取装置の外観図である。
【図３】シェーディング補正が施されるまでの手順を示すフローチャートである。
【符号の説明】
【００２３】
１００  画像読取装置
１０３  露光ランプ制御手段
１０４  白基準値計測手段
１０５  読取手段
１０６  シェーディング補正手段
１０７  黒基準値記憶手段
２０３  露光ランプ
２０９  白基準板
【図１】
2005094135.tif 000003
【図２】
2005094135.tif 000004
【図３】
2005094135.tif 000005